(57)【要約】【課題】    トイレットペーパーに対して芯を抜き又は芯のないタイプを選択する必要がなく、トイレットペーパーをスムーズに回転することができ、途中で切れことなく引き出せるようにした卓上トイレットペーパーホルダーを提供する。【解決手段】  本発明は、トイレットペーパーのロール紙１０２を縦向きＬに収納する容器であって、該容器の上面部１０１において該収納されたロール紙１０２の巻芯１０７に対向する軸方向Ａの中央部1０４から横にずれた半径方向Ｒの上面部位１０５に、ロール紙取出孔１０６を穿設したことを特徴とする卓上トイレットペーパーホルダーである。なお、前記ロール紙取出孔１０６は、ロール紙取出用の円形孔１０６ａと、前記円形孔１０６に連続して穿設し、取り出したロール紙１０２を引き千切る細長の三日月孔１０６ｂを該容器の上面部１０１において構成されていることが好ましい。【選択図】  図１
2014113202.tif 000002
【特許請求の範囲】
【請求項１】
トイレットペーパーのロール紙を縦向きに収納する容器であって、
該容器の上面部において該収納されたロール紙の巻芯に対向する軸方向の中央部から横にずれた半径方向の上面部位に、ロール紙取出孔を穿設したことを特徴とする卓上トイレットペーパーホルダー。
【請求項２】
前記ロール紙取出孔は、ロール紙取出用の円形孔と、前記円形孔に連続して穿設し、取り出したロール紙を引き千切る細長の三日月孔を該容器の上面部において構成されている請求項１記載の卓上トイレットペーパーホルダー。
【請求項３】
三日月孔は該ロール紙の周回方向に該容器の上面部において形成されている請求項２記載の卓上トイレットペーパーホルダー。
【請求項４】
容器内の底面部には回転体が備えられており、
前記底面部は、容器内部に軸方向に突出する突出部と当該突出部を取り囲む周辺部を備えていて、前記突出部の上端部が円周方向に溝部を有しており、
前記回転体は、前記ロール紙が縦向きに載置される前記ロール紙の載置部と、当該ロール紙に沿って載置部から軸方向に立ち上った本体部と、本体部の上部に内向きに設けられた平坦部と、前記平坦部の先端部に設けられ、前記溝部に回転可能に周設された爪部を備えている請求項１乃至３のいずれかに記載の卓上トイレットペーパーホルダー。
【発明の詳細な説明】
【技術分野】
【０００１】
本発明は、卓上トイレットペーパーホルダーの改良に関する。
【背景技術】
【０００２】
従来、インターネットなどでトイレットペーパーをティッシュの代わりに使用する卓上トイレットペーパーホルダーが提供されている。実際、ティッシュペーパーよりトイレットペーパーの方が価格が安く、経済的ではあるが、食卓の上にトイレットペーパーがむき出しで置かれているのは少し問題があることから、インテリアとしての卓上トイレットペーパーホルダーが市場に出回っている。体系的には大きく２種類あり、トイレットペーパーの回転方向に開口部を設けた物とトイレットペーパーの芯の方向に丸穴をあけた物に分かれる。
【０００３】
後者のタイプは、殆どの製品（卓上トイレットペーパーホルダー）が製品上面の中心部に穴を設けて当該穴からペーパーを引出す構造である（特許文献１、特許文献２等）。
【０００４】
【特許文献１】実開昭４９−１２９８４９公報
【特許文献２】実用新案登録第３００６２２５号公報
【特許文献３】米国特許５７６９３５４号公報
【０００５】
しかし、この構造であれば、通常のトイレットペーパーの使用法では中でトイレットペーパーがうまく回転せず、途中で切れてしまう。特に一定間隔ごとに幅方向に切り取り線が入ったトイレットペーパーではなおさらである。
【０００６】
またこのタイプはトイレットペーパーの芯を抜き、製品上面の中央からペーパーを引出し使用するか、又は芯のないタイプのトイレットペーパーを使用するので、いちいち芯を取るのは面倒であり、芯のないタイプのトイレットペーパーを選択するのも手間である。
【０００７】
他方、ロールペーパーの収納容器において当該収納容器の下部端部にロールペーパーの取出し穴を設けた構造で、しかも当該取出し穴はロールペーパーの収納位置より端部に設ける構造のものがある（特許文献３）。しかしこれでは、取出したペーパーがロールペーパーの自重によりトイレットペーパーがうまく回転せず、途中で切れてしまう点において前記特許文献１、特許文献２のものと変わりはしない。
【発明の開示】
【発明が解決しようとする課題】
【０００８】
本発明の目的は、トイレットペーパーに対して芯を抜き又は芯のないタイプを選択する必要がなく、トイレットペーパーをスムーズに回転することができ、途中で切れことなく引き出せるようにした卓上トイレットペーパーホルダーを提供するところにある。
【課題を解決するための手段】
【０００９】
本発明は鋭意検討した結果、本発明は、トイレットペーパーのロール紙を縦向きに収納する容器であって、該容器の上面部において該収納されたロール紙の巻芯に対向する軸方向の中央部から横にずれた半径方向の上面部位に、ロール紙取出孔を穿設したことを特徴とする卓上トイレットペーパーホルダーである。なお、前記ロール紙取出孔は、ロール紙取出用の円形孔と、前記円形孔に連続して穿設し、取り出したロール紙を引き千切る細長の三日月孔を該容器の上面部において構成されていることが好ましい。また三日月孔は該ロール紙の周回方向と逆向きに該容器の上面部において形成されていることが好ましい。
【発明の効果】
【００１０】
従って、本発明によれば、トイレットペーパーに対して芯を抜き又は芯のないタイプを選択する必要がなく、しかもトイレットペーパーをスムーズに回転することができ、途中で切れことなく引き出せるようにした。また前記ロール紙取出孔を前記ロール紙取出用の円形孔と前記細長の三日月孔とした場合、円形孔でトイレットペーパーを任意の位置で取出し、その取り出したペーパーを周回方向と逆向きに前記容器の上面部において形成された三日月孔で切断することができる。
【図面の簡単な説明】
【００１１】
【図１】図１は本発明に係る卓上トイレットペーパーホルダーの一実施態様を示す概略平面図である。
【図２】図２は同ホルダーの容器上面部を取り除き上側から見た使用状態を示す同概略平面図である。
【図３】図３は図１におけるＡ−Ａ線同概略断面図である。
【図４】図４は図３において上面部を開けて卓上トイレットペーパーを縦向きに収納する状態を示す同概略断面図である。
【図５】図５は内部に縦向きに収納されたトイレットペーパーをロール紙取出孔から取出した状態を示す同概略断面図である。
【図６】図６は同概略斜視図である。
【図７】図７は図５における同概略斜視図である。
【図８】図８は図３における同概略斜視図である。
【図９】図９は内部に縦向きに収納されたトイレットペーパーについてホルダーの上面部を開けて直接に取出した状態を示す同概略断面図である。
【図１０】図１０は円形孔と三日月孔からなるロール紙取出孔を上面部に有する本発明に係る卓上トイレットペーパーホルダーの他実施態様を示す概略平面図である。
【図１１】図１１は本発明に係る卓上トイレットペーパーホルダーの他実施態様を示す概略正面図である。
【図１２】図１２は同ホルダーの組立状態を示す同概略組立参考図である。
【図１３】図１３は同ホルダーを上側から見た同概略平面図である。
【図１４】図１４は図１３におけるＡ−Ａ線同概略断面図である。
【図１５】図１５は同概略斜視図である。
【図１６】図１６は内部に縦向きに収納されたトイレットペーパーをロール紙取出孔から取出した状態を示す同概略使用状態参考斜視図である。
【図１７】図１７はロール紙取出孔の他実施態様を示す正面図である。
【図１８】図１８は同平面図である。
【図１９】図１９は図１８においてＣ−Ｃ線断面を示す断面図である。
【図２０】図２０は同組立図である。
【図２１】図２１は同斜視図である。
【図２２】図２２は同使用状態を示す斜視図である。
【発明を実施するための最良の形態】
【００１２】
以下、図面を用いて説明するが、本発明は図面で示した態様に限られるものではない。
【００１３】
図１において、１００は卓上トイレットペーパーホルダーで、トイレットペーパーのロール紙１０２を縦向きＬに収納する容器からなり、この態様では軸筒１０３からなっている。卓上トイレットペーパーホルダー１００は、その上面部１０１において収納されたロール紙１０２の巻芯１０７に対向する軸方向Ａの中央部１０４から横にずれた半径方向Ｒの上面部位１０５に、ロール紙取出用の円形孔１０６ａであるロール紙取出孔１０６を穿設している。また軸筒１０３は軸方向Ａにおいて中央部１０４にロール紙１０２に比して低く設けられている。
【００１４】
従って、このホルダー１００に収納されたロール紙１０２は、内側に巻芯１０７が付いたそのままを縦向きＬにして軸筒１０３に収納されており、わざわざ巻芯１０７を抜いたり又は巻芯１０７のないタイプのロール紙１０２を選択する必要がない。しかもこのホルダー１００に収納されたロール紙１０２は、外側の端部１０２ａを前記ロール紙取出孔１０６から取出していることから、トイレットペーパー１０１のロール紙１０２を軸筒１０３の周りをスムーズに回転することができ、途中で切れことなくロール紙１０２を引き出せるようにしている。従来、このロール紙取出孔１０６はロール紙１０２の巻芯１０７に対向する軸方向Ａの中央部１０４から取り出していたことから、トイレットペーパーのロール紙１０２の自重が作用して中央部１０４から容易に取り出すことができず、途中でロール紙１０２が切れることが多かった。特に、一定間隔ごとに幅方向に切り取り線が入ったトイレットペーパーではなおのことである。本発明ではこの種のトイレットペーパーでも外側の端部１０２ａを前記ロール紙取出孔１０６から取出していることから、スムーズに軸筒１０３のまわりを回転することができ、途中で切れことなくロール紙１０２を引き出せるようにしている。
【００１５】
また図１０は本発明に係る卓上トイレットペーパーホルダーの他実施態様を示す概略平面図である。この態様のロール紙取出孔１０６は、前記実施態様と同じくロール紙取出用の円形孔１０６ａと、前記円形孔１０６ａに連続して穿設し、取り出したロール紙１０２を引き千切る細長の三日月孔１０６ｂを該ホルダー１００の上面部位１０５において穿設されている。
【００１６】
従って、このホルダー１００に収納されたロール紙１０２は、円形孔１０６ａで前記所定の効果が得られるほか、さらに三日月孔１０６ｂで前記円形孔１０６ａから取り出したロール紙１０２を挟んで内側又は外側に引けばロール紙１０２を簡単に引き千切ることができる。
【００１７】
なお、三日月孔１０６ｂは、ロール紙１０２の周回方向と同じ向きにホルダー１００の上面部位１０５において形成することが好ましい。
【００１８】
ところで、本発明に係る卓上トイレットペーパーホルダーは、図１叉は図１０に示した態様に限定されるものではない。
【００１９】
他実施態様として、卓上トイレットペーパーホルダー２００の容器内の底面部２０１には回転体２０２が備えられており、前記底面部２０１は、容器内部に軸方向に突出する突出部２０３と当該突出部２０３を取り囲む周辺部２０４を備えていて、前記突出部２０３の上端部が円周方向に溝部２０５を有しており、前記回転体２０２は、前記ロール紙が縦向きに載置される前記ロール紙の載置部２０６と、当該ロール紙に沿って載置部２０６から軸方向に立ち上った本体部２０７と、本体部２０７の上部に内向きに設けられた平坦部２０８と、前記平坦部２０８の先端部に設けられ、前記溝部２０５に回転可能に周設された爪部２０９を備えている図１叉は図１０のいずれかに記載の卓上トイレットペーパーホルダー２００がある。
【００２０】
当該実施態様によれば、図１叉は図１０いずれかに記載の卓上トイレットペーパーホルダーよりもさらにトイレットペーパーをスムーズに回転することができ、途中で切れことなく引き出すことができる。
【００２１】
また図１７はロール紙取出孔の他実施態様を示す正面図、図１８は同平面図、図１９は図１８においてＣ−Ｃ線断面を示す断面図、図２０は同組立図、図２１は同斜視図、図２２は同使用状態を示す斜視図である。
図１７、図１８及び図１９において、３００は卓上トイレットペーパーホルダーで、トイレットペーパーのロール紙３０２を縦向きＬに収納する容器からなっている。この態様では断面Ｔ字状の軸筒３０３の上面部３０３ａにおいて収納されたロール紙３０２の巻芯３０４に対向する軸方向Ａの中央部３０４から横にずれた半径方向の上面部位３０５に、三日月孔からなるロール紙取出孔３０６を穿設している。このロール紙取出孔３０６はこの実施態様ではホルダー壁面３０７の上端縁３０７ａとこの上端縁３０７ａより上部に位置する上面部３０３ａとその下面湾曲部３０３ｂとの間で構成されている。さらにいえば上面部３０３ａとその下面湾曲部３０３ｂは平面状態で反時計まわりに三日月孔からなるロール紙取出孔３０６が複数個所形成されており、使用時にロール紙１０２を先細部３０８又は先端部に至る端縁部３０９においてカットする態様である。
【００２２】
この態様は無論、容器内の底面部には回転体が備えられており、
前記底面部は、容器内部に軸方向に突出する突出部と当該突出部を取り囲む周辺部を備えていて、前記突出部の上端部が円周方向に溝部を有しており、
前記回転体は、前記ロール紙が縦向きに載置される前記ロール紙の載置部と、当該ロール紙に沿って載置部から軸方向に立ち上った本体部と、本体部の上部に内向きに設けられた平坦部と、前記平坦部の先端部に設けられ、前記溝部に回転可能に周設された爪部を備えている。
【００２３】
従って、このホルダー３００に収納されたロール紙３０２は、回転体によってロール紙３０２を挟んで内側に引けばロール紙３０２を簡単に引き千切ることができる。
【産業上の利用可能性】
【００２４】
本発明は、トイレットペーパーをティッシュの代わりに使用する卓上トイレットペーパーホルダーに幅広く利用できる。
【符号の説明】
【００２５】
１００            卓上トイレットペーパーホルダー
１０１            上面部
１０２            ロール紙
１０２ａ          端部
１０３            軸筒
１０４            中央部
１０５            上面部位
１０６            ロール紙取出孔
１０６ａ          円形孔
１０６ｂ          三日月孔
１０７            巻芯
Ｌ                縦向き
Ａ                軸方向
Ｒ                半径方向
【図１】
2014113202.tif 000003
【図２】
2014113202.tif 000004
【図３】
2014113202.tif 000005
【図４】
2014113202.tif 000006
【図５】
2014113202.tif 000007
【図６】
2014113202.tif 000008
【図７】
2014113202.tif 000009
【図８】
2014113202.tif 000010
【図９】
2014113202.tif 000011
【図１０】
2014113202.tif 000012
【図１１】
2014113202.tif 000013
【図１２】
2014113202.tif 000014
【図１３】
2014113202.tif 000015
【図１４】
2014113202.tif 000016
【図１５】
2014113202.tif 000017
【図１６】
2014113202.tif 000018
【図１７】
2014113202.tif 000019
【図１８】
2014113202.tif 000020
【図１９】
2014113202.tif 000021
【図２０】
2014113202.tif 000022
【図２１】
2014113202.tif 000023
【図２２】
2014113202.tif 000024